(57)【要約】【課題】            故障や動作不良等が少なく生産性の良い簡素な構造でもって、閉鎖動作中の開閉体が全閉位置となったことや、障害物等に当接したことを認識することができる開閉装置を提供する。【解決手段】        閉鎖動作中の開閉体１０の閉鎖方向端部が所定範囲Ｗ内にある際に、駆動源３３の負荷値に基づいて閾値ｓを設定し、その設定後に前記駆動源３３の負荷値が前記閾値ｓを超えた場合に、前記開閉体１０がその閉鎖方向側の物体に当接したものと判断するようにした。【選択図】          図２
2006118231.tif 000002
【特許請求の範囲】
【請求項１】
下方へ閉鎖動作可能な開閉体と、巻かれた該開閉体を繰出す巻取り軸と、前記開閉体をその閉鎖動作中に開放方向へ付勢する付勢手段と、該付勢手段の付勢力に抗して前記巻取り軸を繰出し方向へ回転させる駆動源とを備え、前記開閉体の閉鎖方向端部が全開位置近傍の所定範囲内にある際に、前記付勢手段の付勢力が前記開閉体の自重による閉鎖方向の付勢力を超えるようにした開閉装置であって、
閉鎖動作中の前記開閉体の閉鎖方向端部が前記所定範囲内にある際に、前記駆動源の負荷値に基づいて閾値を設定し、
その設定後に前記駆動源の負荷値が前記閾値を超えた場合に、前記開閉体がその閉鎖方向側の物体に当接したものと判断するようにしたことを特徴とする開閉装置。
【請求項２】
上記閾値は、閉鎖動作中の上記開閉体の閉鎖方向端部が上記所定範囲内にある際における上記負荷値に、所定のマージン値を加算することで算出されることを特徴とする請求項１記載の開閉装置。
【請求項３】
上記マージン値は、閉鎖動作中の上記開閉体の閉鎖方向端部が上記所定範囲内にある際における上記負荷値が大きくなるほど大きくなるように設定されていることを特徴とする請求項２記載の開閉装置。
【請求項４】
上記駆動源の負荷値が上記閾値を超えた場合に、前記開閉体が全閉されたものと判断するようにしたことを特徴とする請求項１乃至３何れか１項記載の開閉装置。
【発明の詳細な説明】
【技術分野】
【０００１】
本発明は、巻取り軸から繰出される開閉体により空間を仕切るようにした開閉装置に関し、より詳しくは、閉鎖動作中の開閉体が、全閉位置となったことや、物体に当接したことを感知できる開閉装置に関するものである。
【背景技術】
【０００２】
従来、開閉体が全閉位置になったことを認識するようにした開閉装置には、例えば特許文献１に記載されているもののように、開閉体（巻上げ式シャッタＳ）の開閉動作に連動するリミットスイッチ装置（２７）を備え、開閉体（巻上げ式シャッタＳ）を、上限位置（イ）と中間所望位置（ロ）と下限位置（ロ）とに位置した際に、前記リミットスイッチ装置（２７）から発せられる接点信号によって停止させるようにしたものがある。
【０００３】
また、閉鎖動作中の開閉体が該開閉体よりも閉鎖方向側の物体に当接したことを認識するようにした開閉装置には、開閉体の下端に上下方向へスライド可能な可動部位を設け、該可動部位がその閉鎖方向側の物体に当接してスライドするのを接触式センサーにより感知するようにしたものが知られている（特許文献２参照）。
【０００４】
しかしながら、前者の従来技術によれば、複雑な構成の機械式カウンター機構を、所望とする開閉体停止位置の数に応じて複数備える必要があるため、機械的な作動不良や、故障等を生じることが懸念される。
また、後者の従来技術のように、接触式センサーにより物体を感知するようにした開閉装置によれば、前記センサー等の支持構造が複雑であることや、開閉体等の可動部分に電気配線を備えていることなどから、機械的な故障や、動作不良、電気的な接点不良等を生じるおそれがある。
【特許文献１】特開昭６１−２４３６２４号公報
【特許文献２】特開平９−１７０３８９号公報
【発明の開示】
【発明が解決しようとする課題】
【０００５】
本発明は上記従来事情に鑑みてなされたものであり、その課題とする処は、故障や動作不良等が少なく生産性の良い簡素な構造でもって、閉鎖動作中の開閉体が全閉位置となったことや、障害物等に当接したことを認識することができる開閉装置を提供することにある。
【課題を解決するための手段】
【０００６】
上記課題を解決するために第一の発明は、下方へ閉鎖動作可能な開閉体と、巻かれた該開閉体を繰出す巻取り軸と、前記開閉体をその閉鎖動作中に開放方向へ付勢する付勢手段と、該付勢手段の付勢力に抗して前記巻取り軸を繰出し方向へ回転させる駆動源とを備え、前記開閉体の閉鎖方向端部が全開位置近傍の所定範囲内にある際に、前記付勢手段の付勢力が前記開閉体の自重による閉鎖方向の付勢力を超えるようにした開閉装置であって、閉鎖動作中の前記開閉体の閉鎖方向端部が前記所定範囲内にある際に、前記駆動源の負荷値に基づいて閾値を設定し、その設定後に前記駆動源の負荷値が前記閾値を超えた場合に、前記開閉体がその閉鎖方向側の物体に当接したものと判断するようにしたことを特徴とする。
【０００７】
ここで、上記開閉体の好ましい具体例としては、複数のスラットやパイプを開閉方向へ連設してなる態様や、単数もしくは複数のパネルや、シート状物、ネット状物を開閉方向へ設けてなる態様、あるいはスラット、パネル、パイプ、シート状物、ネット状物等を適宜に組み合わせてなる態様等が挙げられる。
【０００８】
また、上記駆動源の好ましい具体例としては、直流電動モーターや、交流電動モーター等とすることができる。
【０００９】
また、上記付勢手段の具体例としては、上記開閉体を上記巻取り軸の周囲に巻かれたゼンマイやスプリング等により開放方向へ付勢するようにした態様が挙げられる。
【００１０】
また、上記負荷値とは、上記駆動源の負荷値であり、この負荷値には負荷トルクを含む。この負荷値を検出する手段は、例えば、上記駆動源が直流電動モーターである場合にその負荷電流を測定するようにした構成や、上記駆動源が交流電動モーターである場合にその回転数を測定するようにした構成、あるいは上記駆動源の出力軸等のトルクをトルクメータ等により測定するようにした構成等とすればよい。
【００１１】
また、上記閾値とは、上記開閉体が物体に当接することで上記負荷値が増加した際に、その増加した負荷値により超えられるように設定された値である。
【００１２】
また、第二の発明では、上記閾値は、閉鎖動作中の上記開閉体の閉鎖方向端部が上記所定範囲内にある際における上記負荷値に、所定のマージン値を加算することで算出されることを特徴とする。
【００１３】
ここで、上記マージン値は、上記閾値を求めるために、閉鎖動作中の上記開閉体の閉鎖方向端部が上記所定範囲内にある際における上記負荷値に対し加算される値である。このマージン値は、上記駆動源の負荷変動による誤感知を防ぐように、適宜に設定される値である。
【００１４】
また、第三の発明では、上記マージン値は、閉鎖動作中の上記開閉体の閉鎖方向端部が上記所定範囲内にある際における上記負荷値が大きくなるほど大きくなるように設定されていることを特徴とする。
【００１５】
すなわち、この第三の発明における上記マージン値は、上記負荷値が大きいほど大きく、上記負荷値が小さいほど小さく設定される。
【００１６】
また、第四の発明では、上記駆動源の負荷値が上記閾値を超えた場合に、前記開閉体が全閉されたものと判断するようにしたことを特徴とする。
【００１７】
なお、本明細書中において「開閉体開閉方向」とは、開閉体が空間を仕切ったり開放したりするために動作する方向を意味する。
また、本明細書中において「開閉体厚さ方向」とは、閉鎖状態の開閉体の厚さ方向を意味する。
【発明の効果】
【００１８】
本発明は、以上説明したように構成されているので、以下に記載されるような作用効果を奏する。
第一の発明によれば、開閉体の閉鎖方向端部が全開位置近傍の所定範囲内にある際には、付勢手段の付勢力が開閉体の自重による閉鎖方向の付勢力を超えているため、その付勢力に対抗して駆動源の負荷値が比較的大きくなる。
また、開閉体が閉鎖方向側の物体に当接した際にも、該物体により開閉体の自重が支えられるため、付勢手段による開閉体開放方向の付勢力に対抗して駆動源の負荷値が比較的大きくなる。
そのため、閉鎖動作中の開閉体の閉鎖方向端部が全開位置近傍の所定範囲内にある際に、駆動源の負荷値に基づいて閾値を設定すれば、その設定の後、駆動源の負荷値が前記閾値を超えたか否かによって、開閉体が物体に当接したか否かを判断することができる。
したがって、従来技術のような複雑な構成としなくとも、生産性の良い簡素な構造でもって、開閉体が全閉位置で当接対象部位に当接したことや、障害物に当接したことを認識することができる。
しかも、開閉体が物体に当接したことを判断するための閾値を、適切な値に設定することができる。
【００１９】
更に、第二の発明によれば、風圧や振動等に起因して開閉体がばたつき、負荷変動が比較的大きい場合であっても、その負荷変動によって負荷値が閾値を超えることのないように、閾値を適切な値に設定することができ、ひいては、負荷変動による誤判断を防ぐことができる。
【００２０】
更に、第三の発明によれば、マージン値が、全開位置近傍の負荷値の大きさに応じて相関的に設定されるため、開閉体の重量やサイズ等が異なる場合であっても、閾値を適切な値とすることができ、ひいては、開閉体が物体に当接したことを、より精度よく判断することができる。
【００２１】
更に、第四の発明によれば、生産性の良い簡素な構造でもって、開閉体が全閉されたことを認識することができる。
【発明を実施するための最良の形態】
【００２２】
以下、本発明の実施の形態を図面に基づいて説明する。
本実施の形態による一例は、住宅やビル、倉庫、工場、地下街、トンネル、車両の荷台等の躯体の開口部分や内部に配設され、前記開口部分を開閉したり、躯体内部の空間を仕切ったり開放したりするシャッター装置として説明する。
【００２３】
この開閉装置Ａは、閉鎖方向端部をスライドさせて開閉動作する開閉体１０と、該開閉体１０の幅方向（図１における左右方向）の端部を囲み開閉方向へ案内するガイドレール２０と、開閉体１０を巻取ったり巻戻したりする巻取装置３０とを備える。
【００２４】
開閉体１０は、横長略矩形状の金属板を曲げ加工してなる所謂スラットを、上下に隣接する該スラット間で回動するように複数連接することで開閉体本体１１を構成し、該開閉体本体１１の閉鎖方向側（図示例によれば下方側）の端部に、当接対象部位ｐ（地面や、床面、枠部材等）に当接させるための座板部材１２を開閉体幅方向にわたって接続している。
【００２５】
また、ガイドレール２０は、アルミ合金材料の引抜き成形または押し出し成形、鋼板や他の金属板の曲げ加工等の加工によって、開閉体１０の幅方向の端部を囲む部位が横断面略コの字状に形成された部材であり、巻取装置３０と当接対象部位ｐとの間にわたって配設されている。
【００２６】
また、巻取装置３０は、下部側に開閉体１０を出没させるための開口部を形成した収納ケース３１内に、開閉体１０を巻き取ったり繰出したりする巻取り軸３２や、該巻取り軸３２をチェーン及びスプロケット等の動力伝達手段を介して電動で双方向へ回転する電動駆動源３３、巻取り軸３２に内在される付勢手段３４、開閉体１０の所定位置（例えば全開位置）からの変位量を認識する繰出し量検出手段３５、電動駆動源３３の負荷トルクを検出する負荷値検出手段３６、電動駆動源３３を制御する制御部４０等を具備している。
【００２７】
電動駆動源３３は、直流モーター及びブレーキ機構等からなり、制御部４０からの制御信号により、正転や逆転、停止等する。
【００２８】
また、付勢手段３４は、開閉体１０をその閉鎖動作中に開放方向へ付勢するスプリングである。この付勢手段３４は、開閉体１０の閉鎖方向端部が全開位置近傍の所定範囲内にある際に、その付勢力が開閉体１０の自重による閉鎖方向の付勢力を超え、且つ開閉体１０の閉鎖方向端部が全開位置近傍の所定範囲内にある際には、その付勢力が開閉体１０の自重による閉鎖方向の付勢力と略同等になるように、付勢特性が設定されている。
すなわち、この付勢手段３４は、当該開閉装置Ａを所謂バランスシャッターとして構成するものであり、開閉体１０の閉鎖方向端部が全開位置にある際には、該開閉体１０の閉鎖方向端部が自重により天井面や秣等から垂れ下がってしまうのを阻み、開閉体１０の閉鎖方向端部が全開位置近傍の所定範囲以外にある際には、該開閉体１０の閉鎖方向端部を開閉体開閉方向のどの位置であっても容易に停止し易いようにしている。
【００２９】
繰出し量検出手段３５は、電動駆動源３３の出力軸または巻取り軸３２の回転に連動するように設けられたエンコーダ装置３５ａからパルス信号を出力し、該パルス信号を制御部４０内で電子的にカウントすることで、開閉体１０の繰出し量を、全開位置を基準とした変位量（より具体的にはパルス数）として認識するように構成されている。
前記エンコーダ装置３５ａには、例えば光学式エンコーダや磁気式エンコーダ等が用いられる。
【００３０】
負荷値検出手段３６は、電動駆動源３３の負荷電流を検出するように電気配線され、その負荷電流の大きさに応じた電気信号を制御部４０へ発信する。
すなわち、電動駆動源３３が直流モーターによる構成であるため、その負荷電流と負荷トルクとは、略比例的な相関関係を有する。したがって、負荷値検出手段３６は、電動駆動源３３の負荷電流を検出することにより、電動駆動源３３の負荷値を間接的に検知している。
【００３１】
なお、上記一例によれば、電動駆動源３３を直流モーターによる構成としているが、この電動駆動源３３は、交流モーターによる構成とすることも可能であり、この場合、一般的な交流モーターでは負荷トルクと負荷回転数とが比例的な相関関係を有することから、負荷値検出手段３６は、電動駆動源３３の負荷回転数を検出し、その検出回転数に応じた電気信号を制御部４０に発信する構成とすればよい。
【００３２】
制御部４０は、繰出し量検出手段３５のエンコーダ装置３５ａや、負荷値検出手段３６、図示しない操作部（操作ＢＯＸや、リモコン、操作信号を発するコンピュータ、携帯端末、起動用センサ類等）などから入力される電気信号を、プログラムに基づいて電子的に演算処理し、その処理結果に応じた制御信号を電動駆動源３３へ出力して、電動駆動源３３を正転や逆転、停止等させる制御回路である。
なお、この制御部４０は、回路構成や、制御のための設定値等を現場状況等に応じて容易に変更可能なように、例えばマイコンやプログラマブルコントローラー等が用いたプログラムドロジック回路による構成とするのが好ましいが、リレー回路やその他の電子回路を用いたワイヤードロジック回路とすることも可能である。
【００３３】
次に、制御部４０による処理の一例をフローチャートに基づいて詳細に説明する。
図２（ａ）に示すフローチャートは、当該開閉装置Ａの設置後における初回の閉鎖動作を示している。
【００３４】
先ず、制御部４０は、図示しない操作部（操作ＢＯＸや、リモコン、操作信号を発するコンピュータ、携帯端末、起動用センサ類等）による閉鎖信号を受信したか否かを判断（ステップ４１ａ）し、閉鎖信号を受信した場合には次のステップ４１ｂへ処理を移行し、そうでない場合には、閉鎖信号の受信待ちの状態となる。
【００３５】
ステップ４１ｂでは、電動駆動源３３へ電力が供給されることで、巻取り軸３２が回転し、該巻取り軸３２から開閉体１０が繰出される。
そして、その直後に、電動駆動源３３の負荷値の検出が開始される（ステップ４１ｃ）。
【００３６】
次のステップ４１ｄでは、開閉体１０の閉鎖動作直後の負荷値に対し所定のマージン値Ｍが加算されることで、閾値ｓが算出される。そして、この閾値ｓは、制御部４０の図示しないメモリーに記憶される。
【００３７】
前記閉鎖動作直後の負荷値とは、より詳細に説明すれば、開閉体１０の閉鎖方向端部が全開位置近傍の所定範囲Ｗ内にある際に、負荷値検出手段３６によって検出された負荷値の最大値である。
すなわち、閉鎖動作開始後の負荷値は、理論的には開閉体１０の繰出し量に伴って徐々に低下していくが、実際には、開閉体１０のバタツキや振動等に起因して変動する。そのため、本実施の形態の好ましい一例によれば、図２（ａ）に示すように、所定範囲Ｗ内における負荷値の最大値を求め、この最大の負荷値に対し所定のマージン値Ｍを加算して閾値ｓを算出している。
【００３８】
また、前記マージン値Ｍは、閾値ｓが設定された後に、予期しない不意の負荷変動やノイズ等により、負荷値が閾値ｓを超えてしまうのを防ぐための値である。
このマージン値Ｍは、所定範囲Ｗ内における負荷値の最大値が大きい程大きく設定され、同最大値が小さい程小さく設定される。
すなわち、大型の開閉装置の場合、開閉体１０の重量や付勢手段３４の付勢力が比較的大きいため、前記負荷値の最大値が大きくなるとともに、負荷変動も大きくなる。そのため、マージン値Ｍを大きめに設定しておく必要がある。
また、小型の開閉装置の場合には、開閉体１０の重量や付勢手段３４の付勢力が比較的小さいため、前記とは逆の作用により、マージン値Ｍを小さめに設定しておく必要がある。
【００３９】
マージン値Ｍを設定する処理について、より具体的に説明すれば、制御部４０内のメモリーに、前記負荷値の最大値と、該最大値に対応するマージン値Ｍとの関係を表すテーブルもしくは数式が記憶され、制御部４０内の所定のプログラムが実行されることで、前記負荷値の最大値から、対応するマージン値Ｍが自動的に設定されるようになっている。
なお、このマージン値Ｍは、開閉装置のサイズに応じて、予め固定された値に設定しておくことも可能である。
【００４０】
上記ステップ４１ｄによりマージン値Ｍ及び閾値ｓが設定された後、次のステップ４１ｅでは、電動駆動源３３の負荷値が閾値ｓを超えたか否かが判断される。
そして、電動駆動源３３の負荷値が閾値ｓを超えた場合には、次のステップ４１ｆへ処理が移行し、そうでない場合には、前記ステップ４１ｅを繰り返す。
すなわち、このステップ４１ｅによれば、負荷値検出手段３６及び制御部４０は、開閉体１０の閉鎖方向端部（より具体的には座板部材１２）が当接対象部位ｐ（地面や床面、枠部材等）に当接したことを判断する当接検出手段として作用する。
【００４１】
なお、座板部材１２の着座により電動駆動源３３の負荷値が急上昇する理由について詳述すれば、開閉体１０の閉鎖動作中においては、開閉体１０の自重による閉鎖方向の付勢力と、付勢手段３４による開放方向の付勢力とが略バランスするため、電動駆動源３３に加わる負荷値が比較的低い値で安定する。しかし、座板部材１２が着座すると、開閉体１０の自重が当接対象部位ｐにより支えられるため、電動駆動源３３には、付勢手段３４により開放方向の付勢力が急激に加わる。したがって、図３に示すように、電動駆動源３３の負荷値が急上昇することになる。
【００４２】
次に、上記ステップ４１ｅの直後、ステップ４１ｆでは、電動駆動源３３の制御により電動駆動源３３が仮停止される。
なお、本明細書では、開閉体１０の停止について、初回の閉鎖動作の際に負荷値が閾値を超えて開閉体１０が停止することを前記仮停止と云うとともに、次回以降の閉鎖動作の際に開閉体１０が全閉位置で停止することを本停止と云う。
【００４３】
更に次のステップ４１ｇでは、繰出し量検出手段３５により認識された繰出し量から、所定の補正値Ｎを減算することで、次回以降の閉鎖動作の際に開閉体１０を本停止させるための開閉体停止位置値が算出される。そして、この開閉体停止位置値は、制御部４０内のメモリーに記憶される。
【００４４】
前記繰出し量は、より詳細に説明すれば、開閉体１０が全開位置にある時点から、電動駆動源３３の負荷値が閾値ｓを超えた時点（ステップ４１ｅの時点）までの間において、繰出し量検出手段３５により検出されたパルスカウント値である。
【００４５】
また、上記補正値Ｎは、開閉体１０の停止位置を補正するための値である。
すなわち、上記ステップ４１ｆの時点で仮停止した開閉体１０は、図３に示すように着座（座板部材１２が当接対象部位ｐに当接した時点）してから、負荷値が閾値ｓを超えるまでは繰出されるため、若干弛んだ状態となる。上記補正値Ｎは、次回の閉鎖動作の際に、開閉体１０が略着座時点で停止するように、開閉体１０の繰出し量を補正するものである。
【００４６】
この補正値Ｎは、閉鎖動作中の開閉体１０の閉鎖方向端部が全開位置近傍の所定範囲Ｗ内にある際における電動駆動源３３の負荷値に基づいて設定される。
すなわち、大型の開閉装置の場合、開閉体１０の重量や付勢手段３４の付勢力が比較的大きいため、所定範囲Ｗ内での負荷値の最大値が大きくなるとともに、慣性力が大きいため、実際に開閉体１０が停止するまでの制動距離も大きい。
逆に、小型の開閉装置の場合には、開閉体１０の重量や付勢手段３４の付勢力が比較的小さいため、所定範囲Ｗ内での負荷値の最大値が小さくなるとともに、慣性力が小さいため、実際に開閉体１０が停止するまでの制動距離も小さい。
したがって、所定範囲Ｗ内の負荷値が比較的大きい場合には補正値Ｎを大きくし、同所定範囲Ｗ内の負荷値が比較的小さい場合には、補正値Ｎも小さくすることで、該補正値Ｎを適切な値とすることができる。
【００４７】
補正値Ｎを設定するための処理については、具体的には、制御部４０内のメモリーに、前記負荷値の最大値と、該最大値に対応する補正値Ｎとの関係を表すテーブルもしくは数式が記憶され、制御部４０内の所定のプログラムが機能することで、前記負荷値の最大値から、対応する補正値Ｎが自動的に設定されるようになっている。
また、補正値Ｎが自動的に設定される際に、開閉体１０が仮停止するまでの繰出し量に相関した値を、補正値Ｎに対し更に加減算するようにしてもよい。
【００４８】
そして、上記ステップ４１ｇにより開閉体停止位置値が設定された後、次のステップ４１ｈでは、電動駆動源３３の制御により、開閉体１０を反転動作し、再度停止する。この際の反転動作量は、上記補正値Ｎと略同等の値とすればよい。
よって、再度停止した開閉体１０は、前記反転動作により、開閉方向にわたる弛みが略除去された状態となる。
【００４９】
次に、次回以降の閉鎖動作について、図２（ｂ）のフローチャートに基づいて詳細に説明する。
先ず、制御部４０は、上述した初回の閉鎖動作と略同様に、図示しない操作部による閉鎖信号を受信したか否かを判断（ステップ４２ａ）し、閉鎖信号を受信した場合には次のステップ４２ｂへ処理を移行し、そうでない場合には、閉鎖信号の受信待ちの状態となる。
【００５０】
ステップ４２ｂでは、電動駆動源３３へ電力が供給されることで、巻取り軸３２が回転し、該巻取り軸３２から開閉体１０が繰出される。
次のステップ４２ｃでは、繰出し量検出手段３５により開閉体１０の繰出し量が検出され、その繰出し量が、上記ステップ４１ｇにて算出された開閉体停止位置値以上であるか否かが判断される。繰出し量が開閉体停止位置値以上である場合には、次のステップ４２ｄへ処理が移行し、そうでない場合には、ステップ４２ｃの処理が繰り返される。
ステップ４２ｄでは、電動駆動源３３の制御により、開閉体１０を本停止する。
【００５１】
開閉体１０は、その繰出し量が上記補正値Ｎにより補正されるため、その停止状態では、開閉方向へわたる弛みが少ない。したがって、上記初回の閉鎖動作のように、弛みを解消するために開閉体１０を反転動作させる必要もない。
【００５２】
なお、図２（ｂ）に例示するフローチャートによれば、次回以降の閉鎖動作では負荷値検出手段３６による電動駆動源３３の負荷値の検出を行っていないが、次回以降の閉鎖動作でも負荷値検出手段３６による負荷値の検出を行い、その検出された負荷値が上記閾値を超えた場合に、開閉体１０の閉鎖方向端部が障害物等の物体に当接したものと判断して、開閉体１０を停止や反転等させるようにしてもよい。
このような障害物感知を行うようにした場合、開閉体１０を障害物等の物体に当接した際に反転させる反転動作量は、物体に対する衝撃をより軽減するために、補正値Ｎ以上に大きくすることが望ましい。
更に、前記反転動作量は、設定された補正値Ｎと相関する値として、開閉装置毎に自動的に設定されるようにすることも可能である。
【００５３】
次に、上記構成の開閉装置Ａにおいて、上記開閉体１０を比較的軽量なものとした場合の閉鎖動作について説明する（図４参照）。
開閉体１０が比較的軽量である場合には、電動駆動源３３の負荷変動も比較的小さくなる。また、該開閉体１０による慣性力が小さくなるため、開閉体１０が着座後に生じる弛みも比較的小さくなる。
そのため、制御部４０は、所定のプログラムを機能させることで、所定範囲Ｗ内の比較的小さな負荷値の最大値に応じて、比較的小さいマージン値Ｍ’、及び比較小さい補正値Ｎ’を設定する。そして、このマージン値Ｍ’及び補正値Ｎ’に応じて、閾値ｓ’及び開閉体停止位置値が算出される。
よって、上記構成の開閉装置Ａによれば、異なる重量の開閉体１０が用いられた場合であっても、初回の閉鎖動作中における着座後の開閉体１０の弛み、及び反転動作量を必要最小限とすることができる上、次回の閉鎖動作時には、開閉体１０を、反転動作することなく、弛みの少ない状態で停止させることができる。
【００５４】
なお、上記実施の形態によれば、繰出し量検出手段３５は、全開位置を基準にして、開閉体１０が繰出される量を検出する構成としたが、開閉体開閉方向の中途位置を基準にして開閉体１０が繰出される量を検出する構成とすることも可能である。
【００５５】
また、上記開閉体停止位置値は、開閉体１０を略全閉位置にて弛みのないように停止させるための値としているが、この開閉体停止位置値は、開閉体１０をその開閉方向の中途位置で停止させるための値とすることも可能である。
【００５６】
また、複数の開閉体停止位置値を設定しておき、これら複数の開閉体停止位置値の内、何れかの値が操作部からの信号に応じて選択される態様としてもよい。この場合、開閉体１０を、予め設定された複数の停止位置に、選択的に停止させることができる。
更に、この態様において、開閉体１０を複数のスリット部（図示せず）を有する所謂スリットシャッターとし、選択される上記開閉体停止位置値に応じて前記スリット部が開閉する構成としてもよい。
また、上記開閉体停止位置値と略同様の設定方法で別の値を別途設定し、この別途設定された値を、例えば開閉体１０を徐々に減速させて停止させるなどの速度制御を行うようにした場合に、その速度制御のための位置（開始位置や限界位置、制御範囲を特定するための位置等を含む）の値として利用することも可能である。
【図面の簡単な説明】
【００５７】
【図１】本発明に関わる開閉装置の一例を示す模式図である。
【図２】同開閉装置において、（ａ）は初回の閉鎖動作を示す制御フローチャートであり、（ｂ）は次回以降の閉鎖動作を示す制御フローチャートである。
【図３】同開閉装置において、閉鎖動作中の負荷値(負荷トルク)の変化を示すグラフである。
【図４】本発明に関わる開閉装置の他例において、閉鎖動作中の負荷値（負荷トルク）の変化を示すグラフである。
【符号の説明】
【００５８】
１０：開閉体
３０：巻取装置
３２：巻取り軸
３３：電動駆動源
３４：付勢手段
３５：繰出し量検出手段
３５ａ：エンコーダ装置
３６：負荷値検出手段
４０：制御部
ｐ：当接対象部位
ｓ，ｓ’：閾値
Ｎ，Ｎ’：補正値
Ｍ，Ｍ’：マージン値
Ｗ：所定範囲
【図１】
2006118231.tif 000003
【図２】
2006118231.tif 000004
【図３】
2006118231.tif 000005
【図４】
2006118231.tif 000006